(57)【要約】【課題】左右方向で隣り合う収納庫の左右方向のラインを合わせることによって、意匠感を高めることができるキッチンを提供する。【解決手段】  給排水の配管９，１１を備える流し台用収納庫４に他の収納庫２，６を併設してなる収納庫本体Ｈを天板Ｔの下に備えたキッチンであって、前記流し台用収納庫４の下部に、前記配管９，１１の下側部分を覆う配管収納部１２が設けられ、該配管収納部１２の上側には扉１６が設けられ、前記他の収納庫２，６の下部に引出式収納部７，８が設けられ、該引出式収納部７，８の前面上縁部７ａ，８ａと横方向に連続するライン１６ｂ，１７ｂを前記扉１６に備えている。【選択図】図２
2009006091.tif 000002
【特許請求の範囲】
【請求項１】
給排水の配管を備える流し台用収納庫に他の収納庫を併設してなる収納庫本体を天板の下に備えたキッチンであって、
前記流し台用収納庫の下部に、前記配管の下側部分を覆う配管収納部が設けられ、該配管収納部の上側には扉が設けられ、前記他の収納庫の下部に引出式収納部が設けられ、該引出式収納部の前面上縁部と横方向に連続するラインを前記扉に備えていることを特徴とするキッチン。
【請求項２】
前記扉が、上下軸芯周りで揺動開閉自在に構成された左右一対の扉体から構成し、各扉体が、上側に位置する上側扉体と、この上側扉体の下端に連結される下側扉体とからなり、該下側扉体の上縁部が、前記ラインを構成していることを特徴とする請求項１記載のキッチン。
【請求項３】
前記配管収納部の前面が、前記引出式収納部の前面との左右方向視における横方向のラインを一致させるための配管収納部用横ライン形成部材から構成されていることを特徴とする請求項１又は２記載のキッチン。
【請求項４】
前記各下側扉体の前面が、前記引出式収納部の前面との左右方向視における横方向のラインを一致させるための扉用横ライン形成部材から構成されていることを特徴とする請求項１又は２記載のキッチン。
【請求項５】
前記引出しの前板の前面が下端側ほど後方に位置する傾斜面に構成されていることを特徴とする請求項１〜４のいずれかに記載のキッチン。
【発明の詳細な説明】
【技術分野】
【０００１】
本発明は、給排水の配管を備える流し台用収納庫に他の収納庫を併設してなる収納庫本体を天板の下に備えたキッチンに関する。
【背景技術】
【０００２】
上記キッチンの流し台用収納庫の後方側には、シンクに対して給排水を行うための配管が上下方向に配設され、該流し台用収納庫の下部に、該配管の下側部分を覆う箱形の配管収納部が設けられるとともに、該配管収納部の上側には左右一対の揺動開閉式の扉が設けられている。又、前記流し台用収納庫と左右方向で隣り合う他の収納庫の下部には、引出式収納部が設けられている（例えば、特許文献１参照）。
【特許文献１】特開２００２−８５１７５号公報（図１，２参照）
【発明の開示】
【発明が解決しようとする課題】
【０００３】
上記特許文献１の構成のキッチンでは、左右一対の揺動開閉式の扉の下端位置のラインと引出式収納部の上端位置のラインとが高さ方向（上下方向）において一致していないため、隣り合う収納庫同士の統一感がないだけでなく、見栄えも悪く、意匠感を高めることができないものであり、改善の余地があった。
【０００４】
本発明は前述の状況に鑑み、解決しようとするところは、左右方向で隣り合う収納庫の左右方向のラインを合わせることによって、意匠感を高めることができるキッチンを提供するものである。
【課題を解決するための手段】
【０００５】
本発明は、前述の課題解決のために、給排水の配管を備える流し台用収納庫に他の収納庫を併設してなる収納庫本体を天板の下に備えたキッチンであって、
前記流し台用収納庫の下部に、前記配管の下側部分を覆う配管収納部が設けられ、該配管収納部の上側には扉が設けられ、前記他の収納庫の下部に引出式収納部が設けられ、該引出式収納部の前面上縁部と横方向に連続するラインを前記扉に備えていることを特徴としている。
引出式収納部の前面上縁部と横方向に連続するラインを扉に備えさせることによって、引出式収納部の前面上縁部のラインに扉に備えさせたラインとが左右（横）方向で一致させることができる。
【０００６】
前記扉が、上下軸芯周りで揺動開閉自在に構成された左右一対の扉体から構成し、各扉体が、上側に位置する上側扉体と、この上側扉体の下端に連結される下側扉体とからなり、該下側扉体の上縁部が、前記ラインを構成してもよい。
【０００７】
前記配管収納部の前面が、前記引出式収納部の前面との左右方向視における横方向のラインを一致させるための配管収納部用横ライン形成部材から構成されていてもよい。
【０００８】
前記各下側扉体の前面が、前記引出式収納部の前面との左右方向視における横方向のラインを一致させるための扉用横ライン形成部材から構成されていてもよい。
【０００９】
前記引出しの前板の前面が下端側ほど後方に位置する傾斜面に構成されていてもよい。
【発明の効果】
【００１０】
引出式収納部の前面上縁部と横方向に連続するラインを扉に備えさせることによって、引出式収納部の前面上縁部のラインに扉に備えさせたラインとが左右（横）方向で一致させることができるから、隣り合う収納庫同士の統一感を与えることができるとともに、見栄えも良くなり、意匠感を高めることができる商品価値の高いキッチンにすることができる。
【００１１】
扉体を、上側に位置する上側扉体と、この上側扉体の下端に連結される下側扉体とから構成し、該下側扉体の上縁部が、前記ラインを構成することによって、ラインを構成するための別部材を設ける必要がなく、扉体を構成するための構成部材である下側扉体にてラインを構成することができるから、一枚の扉体の下側表面に別部材を設ける場合に比べて、特に横から見たときの扉としての一体感（意匠感）を高めることができる。
【００１２】
前記配管収納部の前面が、前記引出式収納部の前面との左右方向視における横方向のラインを一致させるための配管収納部用横ライン形成部材から構成されている場合には、より一層隣り合う収納庫同士の統一感を与えることができるとともに、見栄えも良くなり、更に意匠感を高めることができる利点がある。
【００１３】
前記各下側扉体の前面が、前記引出式収納部の前面との左右方向視における横方向のラインを一致させるための扉用横ライン形成部材から構成されている場合には、下側扉体の上縁部だけでなく、下側扉体の上縁部から下縁部までの横方向のラインを一致させることができ、前記同様に、より一層隣り合う収納庫同士の統一感を与えることができるとともに、見栄えも良くなり、更に意匠感を高めることができる利点がある。
【００１４】
前記引出しの前板の前面が下端側ほど後方に位置する傾斜面に構成されている場合には、垂直壁面にて前面が構成されている構成に比べて、変化に富んだ立体感を与えることができる利点がある。
【発明を実施するための最良の形態】
【００１５】
図１に、システムキッチン（以下、単にキッチンと言う）を示している。前記キッチンは、（人工）大理石やステンレスあるいは木等（場合によっては硬質合成樹脂でもよい）からなる天板Ｔの下に、複数（図では３個であるが、２個又は４個以上でもよい）の収納庫２，４，６を左右方向に併設してなる収納庫本体Ｈを備えている。前記左側に位置する収納庫２は、前記天板ＴにＩＨクッキングヒータ１を備えたヒータ用収納庫であり、前記左右中央に位置する収納庫４は、蛇口Ｊ及び流し台３を前記天板Ｔに備えた流し台用収納庫（シンク用収納庫とも言う）であり、右側に位置する収納庫６は、前記天板Ｔに一段低くなった作業スペース用の凹部５を備えた作業台用収納庫であるが、これらの収納庫に代えて、他の収納庫を併設してもよい。又、前記３つの収納庫２，４，６のうちの２つの収納庫２，６の下部には、前後方向にスライド自在な引出式収納部としての引出し７，８を備えているが、それら収納庫２，４，６自体の具体的構成も、自由に変更可能である。
【００１６】
図２及び図３に示すように、前記流し台用収納庫４の下部に、給排水の配管、つまり蛇口Ｊへの給水管９と流し台３の水槽１０の排出口から排出される排水を案内する排水管１１の下側部分を覆う配管収納部１２が設けられている。
【００１７】
前記配管収納部１２は、前記給水管９及び排水管１１が貫通する貫通孔（図示せず）を備えるとともに収納物を載置可能な矩形状で板状の天壁部１３と、この天壁部１３の下面と床面との間を隠すための前壁部１４とを最低限備えて構成されているが、他の構成であってもよい。
【００１８】
図１および図２に示すように、前記配管収納部１２の前端部上側には、扉が設けられ、流し台用収納庫４と左右方向（横方向）で隣り合う前記引き出し７，８の前面上縁部７ａ，８ａと横方向に連続するライン１６ｂ，１７ｂを前記扉に備えており、隣り合う収納庫同士の統一感を与えることができるとともに、見栄えも良くなり、意匠感を高めることができるようにしている。
【００１９】
前記扉は、図２〜図４に示すように、両側に位置する上下軸芯Ｘ１，Ｘ２周りでそれぞれ揺動開閉自在に構成された左右一対の扉体１６，１７から構成し、各扉体１６又は１７が、上側に位置する上側扉体１６Ａ又は１７Ａと、この上側扉体１６Ａ又は１７Ａの下端に連結される下側扉体１６Ｂ又は１７Ｂとからなり、該下側扉体１６Ｂ又は１７Ｂの上縁部が、前記ライン１６ｂ又は１７ｂを構成している。しかも、下側扉体１６Ｂ又は１７Ｂの上縁部１６ｂ又は１７ｂから、下側扉体１６Ｂ又は１７Ｂの下縁部１６ｃ又は１７ｃにかけて前記引き出し７，８の前面と横方向（左右方向）で一致するように下側扉体１６Ｂ又は１７Ｂを構成した好ましい例を示しているが、下側扉体１６Ｂ又は１７Ｂの上縁部１６ｂ又は１７ｂが、引き出し７，８の前面上縁部７ａ，８ａと横方向に連続する構成であれば、その他の部分は横方向で連続しなくてもよい。前記上側扉体１６Ａ又は１７Ａと下側扉体１６Ｂ又は１７Ｂとを同一材料にて構成することもできるし、異なる材料にて構成することもできる。又、上側扉体１６Ａ又は１７Ａと下側扉体１６Ｂ又は１７Ｂの色についても自由に設定することができる。前記上側扉体１６Ａ又は１７Ａの上部には棒状部材からなる縦向きの取っ手１６Ｔ又は１７Ｔを備えている。ここでは、観音開き式の２枚の扉体から構成しているが、同一方向に開く複数枚の扉体から構成してもよいし、縦軸芯周り又は水平軸芯周りで開閉する一枚の扉体から構成してもよいし、前後方向に移動自在な単数又は複数の引き出しから構成することもできる。
前記天壁部１３の位置を、引出し７の上端の位置、つまり図４に２点鎖線で示す天壁部１３Ａの高さに合わせることによって、下端が引出し７の上端の位置となる一枚の扉体を取り付ければ、引出し７の上端の位置と扉体の下端の位置とを横方向（左右方向）で一致させることができるものの、収納スペースが小さくなってしまうことになる。そこで、図４で示すように、本発明では、実線で示す下側の位置に天壁部１３を位置することで配管収納部１２のスペースを必要最小限になるように構成することによって、図４の２点鎖線で示す上側の天壁部１３Ａから図４に実線で示す下側の天壁部１３までの空間Ｓを得ることができ、その空間を収納空間として利用することができながらも、前述のように上側扉体１６Ａ又は１７Ａに対して引き出し７，８の上端との位置合わせ用として下側扉体１６Ｂ又は１７Ｂを連結することによって、引き出し７，８の前面と下側扉体１６Ｂ又は１７Ｂの前面とを横方向（左右方向）で一致させることができる。つまり、収納空間を増大することができる点と意匠感を高めることができる点とを一挙に実現することができるキッチンの構成にしている。
【００２０】
図２及び図４に示すように、前記配管収納部１２の前面、つまり前記前壁部１４の前面１４Ｆが、前記引出し７，８の前面７Ｆ，８Ｆとの左右方向視における横方向のライン、つまり下端側ほど後方に位置する傾斜面と一致するように、該前壁部１４の前面１４Ｆを下端側ほど後方に位置する傾斜面に形成している。前記前壁部１４自体を引出し７，８の前面７Ｆ，８Ｆと横方向で一致するように形成することによって、前壁部１４にて配管収納部用横ライン形成部材を兼用構成しているが、配管収納部用横ライン形成部材を別体形成し、その別体形成された配管収納部用横ライン形成部材を配管収納部の前面に連結するようにしてもよい。前記前壁部１４の上端１４Ａと下側扉体１６Ｂ，１７Ｂの下端との隙間を小さくするように、両者を接近した状態で配置する構成にすることによって、両者が連続する一体的なものになり、好ましい。
【００２１】
前記下側扉体１６Ｂ，１７Ｂの前面１６Ｆ，１７Ｆを、前記引き出し７，８の前面７Ｆ，８Ｆとの左右方向視における横方向のラインに一致するように形成することによって、前記下側扉体１６Ｂ，１７Ｂそのものを、扉用横ライン形成部材から構成することができ、好ましいが、下側扉体１６Ｂ，１７Ｂとは異なる他の部材にて扉用横ライン形成部材を形成し、その形成された扉用横ライン形成部材を下側扉体１６Ｂ，１７Ｂの表面に連結するようにしてもよい。前記連結するための連結手段は、嵌合によるものの他、ネジ止め又は接着剤を用いて連結する構成であってもよい。
【図面の簡単な説明】
【００２２】
【図１】キッチンの斜視図である。
【図２】扉を開放状態にしたキッチンの斜視図である。
【図３】キッチンの正面図である。
【図４】図３におけるＩ−Ｉ線断面図である。
【符号の説明】
【００２３】
１…クッキングヒータ、２，４，６…収納庫、３…流し台、５…凹部、７，８…引出し、７Ｆ，８Ｆ…前面、７ａ，８ａ…前面上縁部、９…給水管、１０…水槽、１１…排水管、１２…配管収納部、１３，１３Ａ…天壁部、１４…前壁部、１４Ａ…上端、１４Ｆ…前面、１６，１７…扉体、１６Ａ，１７Ａ…上側扉体、１６Ｂ，１７Ｂ…下側扉体、１６Ｆ，１７Ｆ…前面、１６Ｔ，１７Ｔ…取っ手、１６ｂ，１７ｂ…上縁部（ライン）、１６ｃ，１７ｃ…下縁部、Ｈ…収納庫本体、Ｊ…蛇口、Ｔ…天板、Ｘ１，Ｘ２…上下軸芯、Ｓ…空間
【図１】
2009006091.tif 000003
【図２】
2009006091.tif 000004
【図３】
2009006091.tif 000005
【図４】
2009006091.tif 000006